(57)【要約】【課題】隣接する舗装用ブロック同士を縦横方向と上下方向の三方向から規制して、長期間にわたって段差やずれの発生を防止して歩行や走行の安全性を高めた舗装用ブロックを提供するものである。【解決手段】正方形状をなす上面板部２と、この下部に凸形状をなす底面板部３とをコンクリートで一体に形成し、前記底面板部３を縦方向の幅がそれぞれ等しい水平部４と垂直部５を組み合わせた平面凸形状に形成し、水平部４の横幅を正方形状をなす上面板部２の横幅よりやや長くして両側に突出部６を形成し、垂直部５の横幅を正方形状をなす上面板部２の横幅よりやや短かくして両側に前記突出部６が係合する段部５を形成して、突出部６を、横方向に隣接する舗装用ブロック１の段部７に係合させて順次敷設するようにしたものである。【選択図】  図２
0003152221.tif 000002
【実用新案登録請求の範囲】
【請求項１】
正方形状をなす上面板部と、この下部に凸形状をなす底面板部とをコンクリートで一体に形成し、前記底面板部を縦方向の幅がそれぞれ等しい水平部と垂直部を組み合わせた平面凸形状に形成し、水平部の横幅を正方形状をなす上面板部の横幅よりやや長くして両側に突出部を形成し、垂直部の横幅を正方形状をなす上面板部の横幅よりやや短かくして両側に前記突出部が係合する段部を形成して成り、前記突出部を、横方向に隣接する舗装用ブロックの段部に係合させ、前記段部に、横方向に隣接する舗装用ブロックの突出部を係合させて順次敷設するようにしたことを特徴とする舗装用ブロック。
【請求項２】
水平部の両側に形成した突出部の上面と、垂直部の両側に形成した段部に、それぞれ互いに嵌合する断面鈎形部を形成したことを特徴とする請求項１記載の舗装用ブロック。
【請求項３】
水平部の両側に形成した突出部と、垂直部の両側に形成した段部との間の側壁をテーパー状に形成したことを特徴とする請求項１または２記載の舗装用ブロック。
【考案の詳細な説明】
【技術分野】
【０００１】
本考案は、歩道や広場などに敷設して舗装する舗装用ブロックに関するものである。
【背景技術】
【０００２】
歩道や広場などに舗装用ブロックを敷設して舗装することが一般に行なわれている。最も一般的なものは、正方形状や長方形状をなす舗装用ブロックで、砂などの下地層の上に平面状に敷設している。しかしながら下地層が移動すると段差が生じたりずれて隙間を生じて、歩行や、車椅子、乳母車の走行に支障を来し、転倒などの危険が発生する問題があった。このため舗装用ブロックの一方の側壁に長手方向全体にわたって凸条を形成し、他方の側壁に前記凸条が嵌合する凹条を形成し、隣接する舗装用ブロックの対向する凸条と凹条を嵌合させて一体に組み合わせるようにした舗装用ブロックが開発されている（特許文献１）。
【０００３】
しかしながらこの舗装用ブロックは、長手方向全体にわたって凸条と凹条が形成され、これが嵌合した横方向と上下方向には、ずれを生じないが、これと直交する縦方向は規制されていないので、下地層が移動すると縦方向にずれる問題があった。
【先行技術文献】
【特許文献】
【０００４】
【特許文献１】特開２００４−２６３３７０
【考案の概要】
【考案が解決しようとする課題】
【０００５】
本考案は上記問題を改善し、隣接する舗装用ブロック同士を縦横方向と上下方向の三方向から規制して、長期間にわたって段差やずれの発生を防止して歩行や走行の安全性を高めた舗装用ブロックを提供するものである。
【課題を解決するための手段】
【０００６】
本考案の請求項１記載の舗装用ブロックは、正方形状をなす上面板部と、この下部に凸形状をなす底面板部とをコンクリートで一体に形成し、前記底面板部を縦方向の幅がそれぞれ等しい水平部と垂直部を組み合わせた平面凸形状に形成し、水平部の横幅を正方形状をなす上面板部の横幅よりやや長くして両側に突出部を形成し、垂直部の横幅を正方形状をなす上面板部の横幅よりやや短かくして両側に前記突出部が係合する段部を形成して成り、前記突出部を、横方向に隣接する舗装用ブロックの段部に係合させ、前記段部に、横方向に隣接する舗装用ブロックの突出部を係合させて順次敷設するようにしたことを特徴とするものである。
【０００７】
本考案の請求項２記載の舗装用ブロックは、水平部の両側に形成した突出部の上面と、垂直部の両側に形成した段部に、それぞれ互いに嵌合する断面鈎形部を形成したことを特徴とするものである。
【０００８】
本考案の請求項３記載の舗装用ブロックは、水平部の両側に形成した突出部と、垂直部の両側に形成した段部との間の側壁をテーパー状に形成したことを特徴とするものである。
【考案の効果】
【０００９】
本考案に係る請求項１記載の舗装用ブロックによれば、一方の舗装用ブロックの底面板部の左右側壁に形成した突出部を、隣接する他方の舗装用ブロックの底面板部の左右側壁に形成した段部に差し込んで係合させ、縦方向に半幅ずつずらして敷設していくと、平面凸形状をなす底面板部が互に嵌合した状態となり、周囲を６枚の舗装用ブロックで囲まれて縦横方向と上下方向に拘束されて、段差やずれを確実に防止することができる。
【００１０】
また請求項２記載の舗装用ブロックによれば、平面凸形状をなす底面板部の突出部の上面と、上面板部の段部を形成する底面にそれぞれ断面鈎形部を形成したので、一方の舗装用ブロックの突出部を、隣接する他方の舗装用ブロックの段部に差し込んで、断面鈎形部を嵌合させることにより横方向の連結を更に確実にすることができる。
【００１１】
また請求項３記載の舗装用ブロックによれば、水平部の両側に形成した突出部と、垂直部の両側に形成した段部との間の側壁をテーパー状に形成したので、運搬時や施工時のエッジ部の損傷を少なくすることができる。
【考案を実施するための最良の形態】
【００１２】
以下本考案の実施の一形態を図１ないし図３を参照して詳細に説明する。図において１は舗装用ブロックを示すもので、正方形状をなす上面板部２と、この下部に凸形状をなす底面板部３とがコンクリートで一体に形成されている。
【００１３】
前記底面板部３は図３に示すように縦方向の幅Ｂがそれぞれ等しい水平部４と垂直部５を組み合わせた平面凸形状に形成され、水平部４の横幅Ｃは、縦横の長さがＡの正方形状をなす上面板部２の横幅Ａよりやや長い長さＤの突出部６、６が両側壁に形成されている。また前記垂直部５の横幅Ｅは正方形状をなす上面板部２の横幅Ａよりやや短かい長さＥに形成され、上面板部２との間に幅Ｄの段部７、７が形成されている。
【００１４】
また正方形状をなす上面板部２の前面には図１および図２に示すように、隙間形成用の突条部９が上下２段に位置をずらせて形成されていると共に、左右側壁にもそれぞれ突条部９が形成されている。
【００１５】
上記構成の舗装用ブロック１は、図示しない砂などの下地層の上に図４に示すように、一方の舗装用ブロック１Ａの底面板部３の左右側壁に形成した突出部６を、隣接する他方の舗装用ブロック１Ｂの底面板部３の左右側壁に形成した段部７に差し込んで係合させ、一方の舗装用ブロック１Ａの上面板部２に形成した突条部９を、隣接する他方の舗装用ブロック１Ｂの上面板部２の側壁に当接させて、複数の舗装用ブロック１Ａ、１Ｂ、…を図５に示すように縦方向に半幅ずつずらして敷設していく。この結果、底面側から反転して見ると図６に示すように、平面凸形状をなす底面板部３が交互に嵌合した状態となる。
【００１６】
このため、図６に示す中央部の舗装用ブロック１Ａから見て、左右に隣接する舗装用ブロック１Ｂ、１Ｃ、１Ｅ、１Ｆは突出部６と段部７が係合しているので横方向と上下方向が拘束されている。また舗装用ブロック１Ａの水平部４と垂直部５との間のＬ形部に、舗装用ブロック１Ｂ、１Ｆの水平部４の角部が係合し、更に舗装用ブロック１Ａの図中上部は舗装用ブロック１Ｇの底面板部３に当接し、図中下部は舗装用ブロック１Ｄの底面板部３に当接し、合計で６枚の舗装用ブロック１Ｂ、１Ｃ…１Ｇで囲まれて縦横方向と上下方向に拘束されて、段差やずれを確実に防止することができる。
【００１７】
また上面板部２の前面および左右側壁にはそれぞれ突条部９が形成されているので、図５に示すように縦方向に半幅ずつずらして敷設した時に、対向する壁面が当接して壁面間の目地１１の間隔を均一に形成することができる。このため正確に目地１１が形成できるので施工性に優れていると共に、仕上り形状が美しく、雨が目地１１からしみ込んで表面に雨が溜まらず滑りを防止することができる。
【００１８】
また上記説明では上面板部２を上にして敷設した場合について示したが、図６に示すように平面凸形状をなす底面板部３を上に反転させて、こちら側を表面として敷設しても良い。またコンクリートとしては、透水性のコンクリートを用いても良い。
【００１９】
図７は本考案の異なる他の実施の形態を示すもので、正方形状をなす上面板部２の上面に複数の細溝１２を平行して形成したものである。この構造では複数の細溝１２が平行して形成されているので、雨水の排水作用と凹凸部の抵抗とにより滑りを防止することができる。なおこの場合、細溝１２に限らず多数の円形の突起など滑り止め作用のある凹凸部を形成しても良い。
【００２０】
図８ないし図１０は本考案の異なる他の実施の形態を示すもので、平面凸形状をなす底面板部３の突出部６の上面と、上面板部２の段部７を形成する底面にそれぞれ断面鈎形部１３を形成したものである。この構造の舗装用ブロック１Ａを敷設すると図９に示すように、一方の舗装用ブロック１Ａの底面板部３の左右に形成した突出部６を、隣接する他方の舗装用ブロック１Ｂの底面板部３の左右に形成した段部７に差し込んで、断面鈎形部１３、１３を嵌合させることにより横方向の連結を更に確実にすることができる。
【００２１】
図１１および図１２は本考案の異なる他の実施の形態を示すもので、平面凸形状をなす底面板部３の水平部４の両側に形成した突出部６、６と、垂直部５の両側に形成した段部７、７との間の側壁に斜めに傾斜したテーパー部１４を形成したものである。この舗装用ブロック１を敷設した表面状態は図５と同様になるが、反転した状態は、図１２に示すようになる。この場合も図１２に示すように底面板部３を上にして敷設しても良い。
【００２２】
図１３は縁石１５との連結構造を示すもので、縁石１５の上部片側に凹溝１６を形成し、この舗装用ブロック１に舗装用ブロック１の底面板部３に形成した突出部６を係合させたもので、舗装用ブロック１の沈下とずれを防止することができる。
【図面の簡単な説明】
【００２３】
【図１】本考案の実施の一形態による舗装用ブロックを正面側から見た斜視図である。
【図２】図１の舗装用ブロックを背面側から見た斜視図である。
【図３】図１の舗装用ブロックを示す平面図である。
【図４】隣接する舗装用ブロックの係合状態を示す断面図である。
【図５】図１の舗装用ブロックを敷設した状態を示す平面図である。
【図６】図５の舗装用ブロックを敷設した状態を反転して示す平面図である。
【図７】本考案の他の実施の形態による表面に細溝を形成した舗装用ブロックの断面図である。
【図８】本考案の他の実施の形態による突出部と段部に断面鈎形部を形成した舗装用ブロックを正面側から見た斜視図である。
【図９】図８の舗装用ブロックを背面側から見た斜視図である。
【図１０】図８に示す舗装用ブロックの係合状態を示す断面図である。
【図１１】本考案の他の実施の形態による突出部と段部との間の側壁にテーパー部を形成した舗装用ブロックを背面側から見た斜視図である。
【図１２】図１１の舗装用ブロックを敷設した状態を反転して示す平面図である。
【図１３】舗装用ブロックと縁石との連結構造を示す断面図である。
【符号の説明】
【００２４】
１    舗装用ブロック                                        
２    上面板部                                              
３    底面板部                                              
４    水平部                                                
５    垂直部                                                
６    突出部                                                
７    段部                                                  
９    突条部                                                
１１  目地                                                  
１２  細溝                                                  
１３  断面鈎形部                                            
１４  テーパー部                                            
１５  縁石                                                  
１６  凹溝                                                  
【図１】
0003152221.tif 000003
【図２】
0003152221.tif 000004
【図３】
0003152221.tif 000005
【図４】
0003152221.tif 000006
【図５】
0003152221.tif 000007
【図６】
0003152221.tif 000008
【図７】
0003152221.tif 000009
【図８】
0003152221.tif 000010
【図９】
0003152221.tif 000011
【図１０】
0003152221.tif 000012
【図１１】
0003152221.tif 000013
【図１２】
0003152221.tif 000014
【図１３】
0003152221.tif 000015